(57)【要約】【課題】  簡単安価な構造でディスクを確実にクランプすること。【解決手段】  メインシャーシ１にディスクＤ載置用トレイ２が前後進ａ，ｂ可能に支持されると共に、該メインシャーシ１内に、前後進ａ，ｂ可能な光ピックアップ６とターンテーブル７付きスピンドルモータ８とが配置されており、プレイモードにして、ディスクチャッキング機構２４によりディスクＤをチャッキングし、該ディスクＤを高速回転させてそのディスクＤに記録されている情報を光ピックアップ６により読み取り、エジェクト信号に基づいてトレイ２を前進ａさせ、ローディング信号に基づいてトレイ２を後進ｂさせるようにしたディスク装置において、前記ターンテーブル７付きスピンドルモータ８がトレイ２に取り付けられ、ディスクチャッキング機構２４がターンテーブル７に設けられている。【選択図】        図２
2006302376.tif 000002
【特許請求の範囲】
【請求項１】
メインシャーシにディスク載置用トレイが前後進可能に支持されると共に、該メインシ
ャーシ内にドライブシャーシが上下動駆動機構により上下動可能に配置され、前記ドライ
ブシャーシに前後進可能な光ピックアップとターンテーブル付きスピンドルモータとが配
置され、前記ターンテーブルに対向して設けたディスクチャッキング機構が、メインシャ
ーシに架設した横桁と、該横桁に一定範囲内上下動可能に配置したディスククランパと、
該ディスククランパ及びターンテーブルの一方に設けたマグネット及びその他方に設けた
ヨークとを有しており、プレイモードにして、ディスクチャックキング機構のマグネット
及びヨークの吸着力でターンテーブルとディスククランパとによりディスクをチャッキン
グし、該ディスクを高速回転させてそのディスクに記録されている情報を光ピックアップ
により読み取り、エジェクト信号に基づいて上下動駆動機構によりドライブシャーシを下
動させてターンテーブルを下降させることにより、該ターンテーブルとディスククランパ
とによるディスクのチャッキングを解除し、そのターンテーブル上のディスクをトレイ上
に受け渡した後、該トレイを前進させ、ローディング信号に基づいてトレイを後進させた
後、上下動駆動機構によりドライブシャーシを上動させてターンテーブルを上昇させるこ
とにより、該ターンテーブルとディスククランパとによりディスクをチャッキングするよ
うにしたディスク装置において、前記ターンテーブル付きスピンドルモータがトレイに取
り付けられ、上下動機構を省略してドライブシャーシがメインシャーシに固定され、メイ
ン基板上の制御回路に接続した電源側端子とスピンドルモータに接続したモータ端子とが
対向されており、プレイモードで両端子を互いに接続させ、エジェクト信号に基づいてト
レイを前進させることにより両端子を互いに離間させるように形成され、前記横桁やディ
スククランパとマグネット及びヨークとからなるディスクチャッキング機構に代えて、タ
ーンテーブルにディスクチャッキング機構が設けられ、該ディスクチャッキング機構が、
ターンテーブルの上面中央に一体突設した円筒形軸部と、該軸部内に一定範囲内上下動可
能に配置されてばねにより上方に付勢された押釦部と、該押釦部の拡縮径可能に形成した
外周壁の外周面に周方向所定間隔をおいて一体突設されて先端を軸部の外周面よりも外方
に突設させた複数の弾性変形可能な係止爪と、押釦部の外周壁の外周面に下すぼまり状に
形成された傾斜カム面と、軸部に一体形成されて傾斜カム面に当接するカム片とを有して
おり、ディスクの中心孔を軸部に嵌合させることにより、各係止爪を中心孔に係合させて
ディスクがターンテーブルにチャッキングされ、押釦部を押し下げることにより、傾斜カ
ム面をカム片に押し付けて外周壁を縮径させると共に、各係止爪を弾性変位させて、その
各係止爪を軸部内に没入させてチャッキングを解除するようにしたことを特徴とするディ
スク装置。
【請求項２】
メインシャーシにディスク載置用トレイが前後進可能に支持されると共に、該メインシ
ャーシ内に、前後進可能な光ピックアップとターンテーブル付きスピンドルモータとが配
置され、ターンテーブルに載置したディスクをチャッキングするためのディスクチャッキ
ング機構が設けられており、プレイモードにして、ディスクチャックキング機構によりデ
ィスクをチャッキングし、該ディスクを高速回転させてそのディスクに記録されている情
報を光ピックアップにより読み取り、エジェクト信号に基づいてトレイを前進させ、ロー
ディング信号に基づいてトレイを後進させるようにしたディスク装置において、前記ター
ンテーブル付きスピンドルモータがトレイに取り付けられ、前記ディスクチャッキング機
構がターンテーブルに設けられていることを特徴とするディスク装置。
【請求項３】
前記メインシャーシ内のメイン基板上の制御回路に接続した電源側端子とスピンドルモ
ータに接続したモータ端子とが対向されており、プレイモードで両端子を互いに接続させ
、エジェクト信号に基づいてトレイを前進させることにより両端子を互いに離間させるよ
うに形成されていることを特徴とする請求項２に記載のディスク装置。
【請求項４】
前記ディスクチャッキング機構が、ターンテーブルの上面中央に一体突設した円筒形軸
部と、該軸部内に一定範囲内上下動可能に配置されてばねにより上方に付勢された押釦部
と、該押釦部の拡縮径可能に形成した外周壁の外周面に周方向所定間隔をおいて一体突設
されて先端を軸部の外周面よりも外方に突設させた複数の弾性変形可能な係止爪と、押釦
部の外周壁の外周面に下すぼまり状に形成された傾斜カム面と、軸部に一体形成されて傾
斜カム面に当接するカム片とを有しており、ディスクの中心孔を軸部に嵌合させることに
より、各係止爪を中心孔に係合させてディスクがターンテーブルにチャッキングされ、押
釦部を押し下げることにより、傾斜カム面をカム片に押し付けて外周壁を縮径させると共
に、各係止爪を弾性変位させて、その各係止爪を軸部内に没入させてチャッキングを解除
するようにしたことを特徴とする請求項２または３に記載のディスク装置。
【発明の詳細な説明】
【技術分野】
【０００１】
本発明は、例えばＤＶＤプレーヤなどのディスクの再生や記録または消去を行うための
ディスク装置に関し、特に、簡単安価な構造でディスクを確実にクランプすることができ
るようにしたものである。
【背景技術】
【０００２】
従来、ＤＶＤプレーヤの技術として特許文献１などに記載したものがあり、その一例を
図１１及び図１２に基づいて説明すると、メインシャーシ１にディスクＤ載置用トレイ２
が前後進ａ，ｂ可能に支持されると共に、該メインシャーシ１内にドライブシャーシ３が
上下動駆動機構４により枢支軸５を中心に上下動ｃ，ｄ可能に配置され、前記ドライブシ
ャーシ３に前後進ａ，ｂ可能な光ピックアップ６とターンテーブル７付きスピンドルモー
タ８とが配置され、前記ターンテーブル７に対向してディスクチャッキング機構９が設け
られている。
【０００３】
前記上下動駆動機構４は、メインシャーシ１の前部に前後進ａ，ｂ方向とは直交する左
右方向ｅ，ｆにスライド可能に配置したカムスライダ１１を有し、ドライブシャーシ３の
前面に突設したカム軸１２がカムスライダ１１のカム溝１１ａに嵌入されており、該カム
８ライダ１１を左方向ｅ（または右方向ｆ）にスライドさせることにより、ドライブシャ
ーシ３を上下動ｃ，ｄさせる。なお、図１１中、１３はトレイ浮き上がり防止片である。
【０００４】
前記ディスクチャッキング機構９は、メインシャーシ１に架設した横桁１５と、該横桁
１５に一定範囲内上下動可能に配置したディスククランパ１６と、該ディスククランパ１
６に設けたマグネット１７及びターンテーブル７の中心突起部内に設けたヨーク１８とを
有している。
【０００５】
動作原理を説明すると、図１１の実線及び図１２の（ａ）はプレイモードを示しており
、マグネット１７及びヨーク１８の吸着力でターンテーブル７とディスククランパ１６と
によりディスクＤをチャッキングし、スピンドルモータ８によりターンテーブル７を介し
てディスクＤを高速回転させ、該ディスクＤに記録されている情報を光ピックアップ６で
読み取り、モニターに映像を再生する。
【０００６】
ディスクＤのエジェクト手順を図１３に基づいて説明すると、ステップＳ１において、
図１２（ａ）に示すプレイモードでエジェクト信号が入力されると、ステップＳ２に移行
し、スピンドルモータ８が回転中か否かを判断し、回転停止状態であればステップ４に移
行し、回転中であればステップ３に移行して、スピンドルモータ８の回転を停止させる。
次に、ステップＳ４で、上下動駆動機構４のカムスライダ１１を左方向ｅ（または右方向
ｆ）にスライドさせることにより、ドライブシャーシ３を下動ｄさせてターンテーブル７
を下降させることにより、マグネット１７及びヨーク１８の吸着力を解除し、ターンテー
ブル７上のディスクＤをトレイ２上に受け渡し、ステップＳ５に移行して、トレイ２を前
進ａさせ、そのトレイ２上のディスクＤを取り出したり新たなディスクＤをトレイ２上に
載置する〔図１２（ｂ）参照〕。
【０００７】
ディスクＤのローディング手順を図１４に基づいて説明すると、ステップＳ１において
、図１２（ｂ）に示すエジェクト状態でローディング信号が入力されると、ステップＳ２
に移行してトレイ２を後進ｂさせ、ステップＳ３に移行して、上下動駆動機構４のカムス
ライダ１１を右方向ｆ（または左方向ｅ）にスライドさせることにより、ドライブシャー
シ３を上動ｃさせてターンテーブル７を上昇させ、ステップＳ４に移行して、マグネット
１７及びヨーク１８の吸着力で、ターンテーブル７とディスククランパ１６とによりディ
スクＤをチャッキングし、ステップＳ５に移行して、スピンドルモータ８を起動させる。
【特許文献１】特開２００４−２１３８１２号公報
【発明の開示】
【発明が解決しようとする課題】
【０００８】
上記従来の構成では、ディスクＤをエジェクトする際に、該ディスクＤをターンテーブ
ル７からトレイ２上に受け渡す構造になっているため、そのターンテーブル７をスピンド
ルモータ８及びドライブシャーシ３を介して上下動ｃ，ｄさせるための上下動駆動機構４
を設ける必要があり、その構造が複雑で製作費が高くつく。
【０００９】
そこで、トレイ２に光ピックアップ６及びターンテーブル７付きスピンドルモータ８を
設けることにより、上下動駆動機構４を省略することも考えられるが、これでは、トレイ
２の重量が大きくなり過ぎて、トレイ２を前後進ａ，ｂさせるためのローディングモータ
（図示せず）として大型で大駆動力のものを用いる必要があり、コストアップになると共
に、エジェクト状態で、光ピックアップ６が外部に露出されるため、対物レンズＯＬに塵
埃が付着して読み取り誤差が生じるおそれがある。
【００１０】
また、トレイ２に設けたスピンドルモータ８及び光ピックアップ６と電源とをフレキシ
ブルケーブルで接続した場合、そのフレキシブルケーブルとして比較的長尺なものが必要
となり、コストアップになると共に、フレキシブルケーブルが大きく弾性変位されること
により、捩じれて断線するおそれもある。
【００１１】
更に、ディスクチャッキング機構９が、横桁１５やディスククランパ１６とマグネット
１７及びヨーク１８からなっており、嵩張ると共に、その部品点数が多くて高くつく。
【００１２】
本発明は、上記従来の欠点に鑑み、簡単安価な構造でディスクを確実にクランプするこ
とができるようにしたディスク装置を提供することを目的としている。
【課題を解決するための手段】
【００１３】
上記目的を達成するため、請求項１に記載の発明は、メインシャーシにディスク載置用
トレイが前後進可能に支持されると共に、該メインシャーシ内にドライブシャーシが上下
動駆動機構により上下動可能に配置され、前記ドライブシャーシに前後進可能な光ピック
アップとターンテーブル付きスピンドルモータとが配置され、前記ターンテーブルに対向
して設けたディスクチャッキング機構が、メインシャーシに架設した横桁と、該横桁に一
定範囲内上下動可能に配置したディスククランパと、該ディスククランパ及びターンテー
ブルの一方に設けたマグネット及びその他方に設けたヨークとを有しており、プレイモー
ドにして、ディスクチャックキング機構のマグネット及びヨークの吸着力でターンテーブ
ルとディスククランパとによりディスクをチャッキングし、該ディスクを高速回転させて
そのディスクに記録されている情報を光ピックアップにより読み取り、エジェクト信号に
基づいて上下動駆動機構によりドライブシャーシを下動させてターンテーブルを下降させ
ることにより、該ターンテーブルとディスククランパとによるディスクのチャッキングを
解除し、そのターンテーブル上のディスクをトレイ上に受け渡した後、該トレイを前進さ
せ、ローディング信号に基づいてトレイを後進させた後、上下動駆動機構によりドライブ
シャーシを上動させてターンテーブルを上昇させることにより、該ターンテーブルとディ
スククランパとによりディスクをチャッキングするようにしたディスク装置において、前
記ターンテーブル付きスピンドルモータがトレイに取り付けられ、上下動機構を省略して
ドライブシャーシがメインシャーシに固定され、メイン基板上の制御回路に接続した電源
側端子とスピンドルモータに接続したモータ端子とが対向されており、プレイモードで両
端子を互いに接続させ、エジェクト信号に基づいてトレイを前進させることにより両端子
を互いに離間させるように形成され、前記横桁やディスククランパとマグネット及びヨー
クとからなるディスクチャッキング機構に代えて、ターンテーブルにディスクチャッキン
グ機構が設けられ、該ディスクチャッキング機構が、ターンテーブルの上面中央に一体突
設した円筒形軸部と、該軸部内に一定範囲内上下動可能に配置されてばねにより上方に付
勢された押釦部と、該押釦部の拡縮径可能に形成した外周壁の外周面に周方向所定間隔を
おいて一体突設されて先端を軸部の外周面よりも外方に突設させた複数の弾性変形可能な
係止爪と、押釦部の外周壁の外周面に下すぼまり状に形成された傾斜カム面と、軸部に一
体形成されて傾斜カム面に当接するカム片とを有しており、ディスクの中心孔を軸部に嵌
合させることにより、各係止爪を中心孔に係合させてディスクがターンテーブルにチャッ
キングされ、押釦部を押し下げることにより、傾斜カム面をカム片に押し付けて外周壁を
縮径させると共に、各係止爪を弾性変位させて、その各係止爪を軸部内に没入させてチャ
ッキングを解除するようにしたことを特徴としている。
【００１４】
請求項２に記載の発明は、メインシャーシにディスク載置用トレイが前後進可能に支持
されると共に、該メインシャーシ内に、前後進可能な光ピックアップとターンテーブル付
きスピンドルモータとが配置され、ターンテーブルに載置したディスクをチャッキングす
るためのディスクチャッキング機構が設けられており、プレイモードにして、ディスクチ
ャックキング機構によりディスクをチャッキングし、該ディスクを高速回転させてそのデ
ィスクに記録されている情報を光ピックアップにより読み取り、エジェクト信号に基づい
てトレイを前進させ、ローディング信号に基づいてトレイを後進させるようにしたディス
ク装置において、前記ターンテーブル付きスピンドルモータがトレイに取り付けられ、前
記ディスクチャッキング機構がターンテーブルに設けられていることを特徴としている。
【００１５】
請求項３に記載の発明は、請求項２に記載の発明において、前記メインシャーシ内のメ
イン基板上の制御回路に接続した電源側端子とスピンドルモータに接続したモータ端子と
が対向されており、プレイモードで両端子を互いに接続させ、エジェクト信号に基づいて
トレイを前進させることにより両端子を互いに離間させるように形成されていることを特
徴としている。
【００１６】
請求項４に記載の発明は、請求項２または３に記載の発明において、前記ディスクチャ
ッキング機構が、ターンテーブルの上面中央に一体突設した円筒形軸部と、該軸部内に一
定範囲内上下動可能に配置されてばねにより上方に付勢された押釦部と、該押釦部の拡縮
径可能に形成した外周壁の外周面に周方向所定間隔をおいて一体突設されて先端を軸部の
外周面よりも外方に突設させた複数の弾性変形可能な係止爪と、押釦部の外周壁の外周面
に下すぼまり状に形成された傾斜カム面と、軸部に一体形成されて傾斜カム面に当接する
カム片とを有しており、ディスクの中心孔を軸部に嵌合させることにより、各係止爪を中
心孔に係合させてディスクがターンテーブルにチャッキングされ、押釦部を押し下げるこ
とにより、傾斜カム面をカム片に押し付けて外周壁を縮径させると共に、各係止爪を弾性
変位させて、その各係止爪を軸部内に没入させてチャッキングを解除するようにしたこと
を特徴としている。
【発明の効果】
【００１７】
請求項１に記載の発明は実施の一形態（図１〜図１０参照）に対応するものであって、
これによれば、ターンテーブル付きスピンドルモータがトレイに取り付けられており、エ
ジェクト及びローディングの際に、そのターンテーブル付きスピンドルモータを上下動さ
せる必要がないから、従来の上下動駆動機構が不要となり、その不要となった分だけ構造
が簡単となり、製作費を安くすることができる。
【００１８】
また、光ピックアップがメインシャーシ側に残され、ターンテーブル付きスピンドルモ
ータだけがトレイに取り付けられており、該トレイの重量があまり大きくならないから、
そのトレイを前後進させるためのローディングモータとして小型で駆動力が比較的小さい
安価なものを用いることができ、経済的である。
【００１９】
更に、エジェクト状態で、光ピックアップがメインシャーシ内に収納されて外部に露出
されていないから、その光ピックアップの対物レンズが外部に露出されることにより該対
物レンズに塵埃が付着して読み取り誤差が生じるという事故を解消することができる。
【００２０】
また更に、制御回路側の電源側端子とスピンドルモータ側のモータ端子とを接続したプ
レイモードでエジェクト信号に基づいてトレイを前進させると、前記両端子を互いに離間
させ、スピンドルモータへの通電が遮断されるので、省エネに貢献すると共に、安全性が
高まる。また、スピンドルモータと制御回路とを接続するために長尺のフレキシブルケー
ブルを使っていないので、経済的であると共に、フレキシブルケーブルが捩じれて断線す
るという難点を解消することができる。
【００２１】
しかも、ディスクチャッキング機構がターンテーブルの中央部に設けられており、嵩張
らず、部品点数が従来に比べて少ないので、コストダウンを図ることができる。
【００２２】
請求項２に記載の発明は基本形態に対応するものであって、これによれば、ターンテー
ブル付きスピンドルモータがトレイに取り付けられており、エジェクト及びローディング
の際に、そのターンテーブル付きスピンドルモータを上下動させる必要がないから、従来
の上下動駆動機構が不要となり、その不要となった分だけ構造が簡単となり、製作費を安
くすることができる。
【００２３】
また、光ピックアップがメインシャーシ側に残され、ターンテーブル付きスピンドルモ
ータだけがトレイに取り付けられており、該トレイの重量があまり大きくならないから、
そのトレイを前後進させるためのローディングモータとして小型で駆動力が比較的小さい
安価なものを用いることができ、経済的である。
【００２４】
更に、エジェクト状態で、光ピックアップがメインシャーシ内に収納されて外部に露出
されていないから、その光ピックアップの対物レンズが外部に露出されることにより該対
物レンズに塵埃が付着して読み取り誤差が生じるという事故を解消することができる。
【００２５】
請求項３に記載の発明によれば、制御回路側の電源側端子とスピンドルモータ側のモー
タ端子とを接続したプレイモードでエジェクト信号に基づいてトレイを前進させると、前
記両端子を互いに離間させ、スピンドルモータへの通電が遮断されるので、省エネに貢献
すると共に、安全性が高まる。また、スピンドルモータと制御回路とを接続するために長
尺のフレキシブルケーブルを使っていないので、経済的であると共に、フレキシブルケー
ブルが捩じれて断線するという難点を解消することができる。
【００２６】
請求項４に記載の発明によれば、ディスクチャッキング機構がターンテーブルの中央部
に設けられており、嵩張らず、部品点数が従来に比べて少ないので、コストダウンを図る
ことができる。
【発明を実施するための最良の形態】
【００２７】
図１〜図３は本発明に実施の一形態であるＤＶＤプレーヤ（ディスク装置）を示すもの
であって、ドライブシャーシ３がメインシャーシ１の受棚１ａ上に固定され、トレイ２の
中央に光ピックアップ６用開口部２０と凹部２１とが形成され、該凹部２１にスピンドル
モータ８が嵌着され、該スピンドルモータ８とドライブシャーシ３内のメイン基板２２に
形成した制御回路（図示せず）とを接続するための接続装置２３が設けられ、ターンテー
ブル７の中央にディスクチャッキング機構２４が設けられている。上記以外の構成で図１
１及び図１２に示す構成と同じ部分に同一符号を付してその説明を省略する。
【００２８】
前記接続装置２３は、図４（ａ）及び（ｂ）に示すように、ドライブシャーシ３上に固
着した端子板２６の上面に形成されて制御回路に接続した電源側端子２７と、スピンドル
モータ８の下面に固着したモータ基板２８に取り付けられてスピンドルモータ８に接続し
た弾性変位可能な側面視略Ｌ字状モータ端子２９とからなり、プレイモードで両端子２７
，２９を互いに接続させることにより、スピンドルモータ８に通電し〔図４（ａ）（ｂ）
実線参照〕、エジェクト信号に基づいてトレイ２を前進ａさせることにより、両端子２７
，２９を互いに離間させる〔図４（ａ）（ｂ）仮想線参照〕。
【００２９】
上記構成によれば、エジェクトの際に、両端子２７，２９を互いに離間させ、スピンド
ルモータ８への通電が遮断されるので、省エネに貢献すると共に、安全性が高まる。また
、スピンドルモータ８と制御回路とを接続するために長尺のフレキシブルケーブルを使っ
ていないので、経済的であると共に、フレキシブルケーブルが捩じれて断線するという難
点を解消することができる。
【００３０】
図４（ａ）及び（ｃ）に示すように、端子板２６上にトレイ検知スイッチ３０が配置さ
れており、トレイ２を後進ｂさせ、モータ基板２８の端面によりトレイ検知スイッチ３０
の検知部３０ａを押してスイッチオン状態になると、そのオン信号によりトレイ２が最後
進ｂしてメインシャーシ１内に戻ったことを検知する。
【００３１】
前記ディスクチャッキング機構２４は、図５に示すように、ターンテーブル７の上面中
央に一体突設した円筒形軸部３２と、該軸部３２内に一定範囲内上下動可能に配置されて
ばね３３により上方に付勢された押釦部３４と、該押釦部３４の拡縮径可能に形成した外
周壁３４ａの外周面に周方向所定間隔をおいて一体突設されて先端を軸部３２の通過孔３
２ａを通って該軸部３２の外周面よりも外方に突設させた複数の弾性変形可能な係止爪３
５と、押釦部３４の外周壁３４ａの外周面に下すぼまり状に形成された傾斜カム面３６と
、軸部３２に一体形成されて傾斜カム面３６に当接するカム片３７とを有している。
【００３２】
図５（ｂ）に示すように、ディスクＤの中心孔Ｄａを軸部３２に嵌合させることにより
、各係止爪３５を通過孔３２ａ内に没入させた後に外部に突出させて中心孔Ｄａに係合さ
せてディスクＤがターンテーブル７にチャッキングされ、図５（ｃ）に示すように、指部
で押釦部３４を押し下げることにより、傾斜カム面３６をカム片３７に押し付けて外周壁
３４ａを縮径させると共に、各係止爪３５を弾性変位させ、その各係止爪３５を軸部３２
内に没入させてチャッキングを解除する。
【００３３】
上記構成によれば、ディスクチャッキング機構２４がターンテーブル７の中央部に設け
られており、嵩張らず、部品点数が従来に比べて少ないので、コストダウンを図ることが
できる。
【００３４】
動作原理を説明すると、図１及び図２はプレイモードを示しており、ディスクチャッキ
ング機構２４によりディスクＤをチャッキングし、スピンドルモータ８によりターンテー
ブル７を介してディスクＤを高速回転させ、該ディスクＤに記録されている情報を光ピッ
クアップ６で読み取り、モニターに映像を再生する。
【００３５】
ディスクＤのエジェクト手順を図８に基づいて説明すると、ステップＳ１において、図
１及び図２に示すプレイモードでエジェクト信号が入力されると、ステップＳ２に移行し
、スピンドルモータ８が回転中か否かを判断し、回転停止状態であればステップ４に移行
し、制御回路のパワー回路がオフか否かを判断し、パワーオフであれば、ステップＳ６に
移行する。ステップＳ２でスピンドルモータ８が回転中であればステップ３に移行して、
スピンドルモータ８の回転を停止させた後、ステップＳ５に移行して、制御回路のパワー
回路をオフにし、ステップＳ６に移行する。そのステップＳ６で、トレイ２を前進ａさせ
、ディスクチャッキング機構２４によるディスクＤのチャッキングを解除したり新たなデ
ィスクＤをディスクチャッキング機構２４によりターンテーブル７上にチャッキングする
〔図６及び図７参照〕。
【００３６】
ディスクＤのローディング手順を図９に基づいて説明すると、ステップＳ１において、
図６及び図７に示すエジェクト状態でローディング信号が入力されると、ステップＳ２に
移行してトレイ２を後進ｂさせ、ステップＳ３に移行して、トレイ検知スイッチ３０がオ
ン状態か否かを判断し、オン状態であれば、トレイ２が最後進ｂされ、両端子２７，２９
が互いに接続されたと判断して、ステップＳ４に移行し、ステップ３でオン状態を検知し
ない場合にはステップＳ１に戻って同じ動作を繰り返す。ステップＳ４で、制御回路のパ
ワー回路をオンとし、ステップＳ５に移行して、スピンドルモータ８を起動させる。
【００３７】
上記構成によれば、ターンテーブル７付きスピンドルモータ８がトレイ２に取り付けら
れており、エジェクト及びローディングの際に、そのターンテーブル７付きスピンドルモ
ータ８を上下動させる必要がないから、従来の上下動駆動機構４（図１１参照）が不要と
なり、その不要となった分だけ構造が簡単となり、製作費を安くすることができる。
【００３８】
また、光ピックアップ６がメインシャーシ１側に残され、ターンテーブル７付きスピン
ドルモータ８だけがトレイ２に取り付けられており、該トレイ２の重量があまり大きくな
らないから、そのトレイ２を前後進ａ，ｂさせるためのローディングモータとして小型で
駆動力が比較的小さい安価なものを用いることができ、経済的である。
【００３９】
更に、エジェクト状態で、光ピックアップ６がメインシャーシ１内に収納されて外部に
露出されていないから、その光ピックアップ６の対物レンズＯＬが外部に露出されること
により該対物レンズＯＬに塵埃が付着して読み取り誤差が生じるという事故を解消するこ
とができる。
【００４０】
上記構成では、ドライブシャーシ３をメインシャーシ１に固定するようにしたが、その
ドライブシャーシ３を省略して、光ピックアップ６をメインシャーシ１に直接に配置する
ようにしてもよい。また、トレイ２にディスクＤを載置しないので、そのトレイ２の形状
をディスクＤの形状に関係なく種々に変更することができる。
【００４１】
上記の実施の形態では、接続装置２３として、図４に示すように、電源側端子２７とモ
ータ端子２９とからなる端子接続方式を採用したが、これに限定されるわけではなく、コ
ネクタ接続方式を採用してもよい。これは、図１０に示すように、ドライブシャーシ３側
端子板２６上のケーシング３９内に突設したピンプラグ４０と、スピンドルモータ８側モ
ータ基板２８上の略Ｌ字状ソケット４１とからなり、プレイモードで、ケーシング３９の
天板部に形成した前後進ａ，ｂ方向に延びるガイド溝４２にソケット４１の上面に突設し
た位置決めガイド片４３を嵌入させ、ソケット４１のソケット孔４１ａをピンプラグ４０
に嵌合させることにより、スピンドルモータ８に通電し〔図１０（ｂ）実線参照〕、エジ
ェクト信号に基づいてトレイ２を前進ａさせることにより、ソケット４１をピンプラグ４
０から離脱させる〔図１０（ｂ）仮想線参照〕。
【産業上の利用可能性】
【００４２】
上記の実施の形態では、ＤＶＤプレーヤを例にあげて説明したが、これに限定されるわ
けではなく、たとえばＤＶＤレコーダなどの各種ディスク装置に適用することができる。
【図面の簡単な説明】
【００４３】
【図１】本発明の実施の一形態であるＤＶＤプレーヤの平面図である。
【図２】同縦断面図である。
【図３】同トレイの斜視図である。
【図４】（ａ）は同接続装置の平面図、（ｂ）はＡ−Ａ矢視図、（ｃ）はＢ−Ｂ矢視図である。
【図５】（ａ）は同ディスクチャッキング機構付きターンテーブルの平面図、（ｂ）はチャッキング状態の縦断面図、（ｃ）はチャッキング解除状態の縦断面図である。
【図６】同エジェクト状態の平面図である。
【図７】同エジェクト状態の縦断面図である。
【図８】エジェクト手順を示す流れ図である。
【図９】ローディング手順を示す流れ図である。
【図１０】（ａ）は同接続装置の変形例を示す分解斜視図、（ｂ）は縦断面図である。
【図１１】従来例を示す平面図である。
【図１２】（ａ）はプレイモードの縦断面図、（ｂ）はエジェクト状態の縦断面図である。
【図１３】エジェクト手順を示す流れ図である。
【図１４】ローディング手順を示す流れ図である。
【符号の説明】
【００４４】
１        メインシャーシ
２        トレイ
３        ドライブシャーシ
４        上下動駆動機構
６        光ピックアップ
７        ターンテーブル
８        スピンドルモータ
２２      メイン基板
２４      ディスクチャッキング機構
２７      電源側端子
２９      モータ端子
３２      軸部
３３      ばね
３４      押釦部
３４ａ    押釦部の外周壁
３５      係止爪
３６      傾斜カム面
３７      カム片
Ｄ        ディスク
【図１】
2006302376.tif 000003
【図２】
2006302376.tif 000004
【図３】
2006302376.tif 000005
【図４】
2006302376.tif 000006
【図５】
2006302376.tif 000007
【図６】
2006302376.tif 000008
【図７】
2006302376.tif 000009
【図８】
2006302376.tif 000010
【図９】
2006302376.tif 000011
【図１０】
2006302376.tif 000012
【図１１】
2006302376.tif 000013
【図１２】
2006302376.tif 000014
【図１３】
2006302376.tif 000015
【図１４】
2006302376.tif 000016